(57)【要約】【課題】現金管理上のセキュリティに配慮しつつ、迅速に紙幣回収することで回収作業の効率アップを図るようにした紙幣識別装置を提供する。【解決手段】プッシャ部３１の突起部３１ａ，３１ｂが本体フレーム部１０の係合溝部１３ａ，１３ｂと係合し、プッシャ部３１はその上部に設けたロック機構３１ｃにより、本体フレーム部１０から離脱しないように構成される。紙幣収納庫３０から紙幣を見せずに回収するには、ロック機構３１ｃを解除してプッシャ部３１とスタッカ部３２とを一体にしたまま取り外す。プッシャ部３１とスタッカ部３２は別部品として紙幣収納庫３０を構成しており、スタッカ部３２はその左右側面下部に形成された回動軸３３がプッシャ部３１の対応する位置に形成された孔３１ｄと嵌合して、プッシャ部３１に回動自在に軸支される。そのため、ラッチレバーを操作することで直接に紙幣だけを回収できる。【選択図】図３
2010009331.tif 000002
【特許請求の範囲】
【請求項１】
搬入された紙幣の真贋判定を行って整列した状態で収納する紙幣識別装置において、
紙幣挿入口を有する本体フレーム部と、
前記紙幣挿入口から投入された紙幣を識別する紙幣識別部と、
前記紙幣識別部で真券と判定された紙幣を収納するスタッカ部および前記紙幣をスタッカ部に押し込むプッシャ部が一体として前記本体フレーム部に対して着脱自在に、かつ施錠可能に構成された紙幣収納庫と、
を備え、
前記紙幣収納庫を前記本体フレーム部から解錠したとき、前記スタッカ部に収納された紙幣をその開口から回収可能としたことを特徴とする紙幣識別装置。
【請求項２】
前記スタッカ部は、前記プッシャ部に対して回動自在に軸支され、前記スタッカ部が前記プッシャ部から離間するように回動して前記紙幣を回収するようにしたことを特徴とする請求項１記載の紙幣識別装置。
【請求項３】
前記紙幣収納庫は、前記本体フレーム部に対して前記プッシャ部が前記スタッカ部によって挟まれた状態で保持され、前記本体フレーム部に前記スタッカ部が施錠されることを特徴とする請求項１記載の紙幣識別装置。
【請求項４】
前記紙幣収納庫は、前記本体フレーム部との間で前記紙幣収納庫を係脱可能にするロック機構を備えていることを特徴とする請求項１記載の紙幣識別装置。
【発明の詳細な説明】
【技術分野】
【０００１】
本発明は、搬入された紙幣の真贋判定を行って整列した状態で収納する紙幣識別装置に関し、とくに自動販売機等において投入された紙幣の回収を容易にした紙幣識別装置に関する。
【背景技術】
【０００２】
自動販売機（以下、自販機という。）等においては、挿入された紙幣を紙幣識別装置内で搬送して識別を行い、真券として識別された場合に収納し、識別できなかった場合等には返却している。従来、この種の紙幣識別装置は、自販機の前面扉の内側に固定され箱状に形成された紙幣識別装置本体と、装置本体の前面に設けられた紙幣挿入口と、自販機に投入された紙幣を紙幣搬送路によって紙幣識別部に搬送する搬送手段と、搬送された真券を積層して収納する回動自在な紙幣収納庫とを備えたものが知られている。
【０００３】
紙幣収納庫に積層された収納紙幣は、オペレータ等により定期的に回収される必要がある。その際、紙幣収納庫の下側を軸にして回動すれば、上端に開口した紙幣回収口から収納された紙幣をオペレータが引き抜いて回収することができる。また、紙幣収納庫は紙幣を回収した後に紙幣識別装置本体内に嵌め込んで施錠を行うことで、自販機の前面扉がこじ開けられた場合でも、収納紙幣が容易には露出しないようになっている（例えば、特許文献１参照）。
【０００４】
こうした紙幣を収納する紙幣収納庫には、上述したように収納庫を取り外さずに紙幣回収口を開いて直接回収するタイプだけでなく、紙幣識別装置本体から収納庫自体を取り外して紙幣を回収するカセットタイプのものがあった。
【特許文献１】特開２００７−１６４４９９号公報（段落番号［００１４］〜［００２０］、図１）
【発明の開示】
【発明が解決しようとする課題】
【０００５】
自販機は一般に大勢の公衆が接近しやすい場所に設置されるため、そこに装着された紙幣識別装置では、収納された紙幣を回収する場合に、現金管理上のセキュリティを重視するならば、紙幣識別装置から紙幣収納庫ごと取り外す回収カセットとして構成しておくことが望ましい。回収カセットを現金輸送車等に運び込んでから紙幣回収を行えるので、第三者に紙幣収納庫内の紙幣を見られないで紙幣回収作業が実施できる。ところが、そうした紙幣回収作業を行っている間は、自販機での商品販売を停止しなければならないだけでなく、紙幣収納庫を自販機に戻す等、現金回収時の手間は大きくなる。
【０００６】
したがって、自販機の設置場所のセキュリティが保持されているならば、売上金回収作業の効率を上げるために、紙幣収納庫を紙幣識別装置から取り外さないで収納紙幣だけを回収し、そうでない場合には紙幣収納庫ごと取り外すことが要望される。しかし、いずれのタイプの回収方法を選択するかについては、自販機の製造時には判断し難い。そのために、実際の紙幣回収に当っては、一台の紙幣識別装置でそれぞれの要望に対応する必要があった。
【０００７】
本発明はこのような点に鑑みてなされたものであり、現金管理上のセキュリティに配慮しつつ、迅速に紙幣回収することで回収作業の効率アップを図るようにした紙幣識別装置を提供することを目的とする。
【課題を解決するための手段】
【０００８】
本発明では、上記問題を解決するために、搬入された紙幣の真贋判定を行って整列した状態で収納する紙幣識別装置が提供される。この紙幣識別装置は、紙幣挿入口を有する本体フレーム部と、前記紙幣挿入口から投入された紙幣を識別する紙幣識別部と、前記紙幣識別部で真券と判定された紙幣を収納するスタッカ部および前記紙幣をスタッカ部に押し込むプッシャ部が一体として前記本体フレーム部に対して着脱自在に、かつ施錠可能に構成された紙幣収納庫とから構成される。
【０００９】
この紙幣識別装置では、紙幣収納庫を本体フレーム部から解錠したとき、スタッカ部に収納された紙幣をその開口から回収可能とした。
【発明の効果】
【００１０】
本発明によれば、自販機等に装着された紙幣識別装置からスタッカ部に収納された状態で紙幣を回収できるだけでなく、スタッカ部から紙幣だけを直接に回収することも可能としたので、現金管理上のセキュリティに配慮しつつ、迅速な紙幣回収によって回収作業の効率アップを図る等、紙幣識別装置からの紙幣の回収作業が容易となる。
【発明を実施するための最良の形態】
【００１１】
以下、図面を参照してこの発明の実施の形態について説明する。
図１は、実施の形態に係る紙幣識別装置の外観構成を示す斜視図、図２は、図１の紙幣識別装置を各構成部品に分解して示す斜視図である。
【００１２】
紙幣識別装置１は、本体フレーム部１０と、その背後に固着された紙幣識別部２０および紙幣収納庫３０の３つの構成部品から構成され、自販機の前面扉等に内側から固着される。本体フレーム部１０には、自販機の前面扉から露出されるように、その前面板１０ａの下部にフロントマスク１１が配置されている。このフロントマスク１１には紙幣挿入口１１ａが設けられ、本体フレーム部１０と一体に自販機前面扉の内側にボルト等で固着するためのボルト挿通溝１２が形成されている。
【００１３】
紙幣識別部２０および紙幣収納庫３０は、図２に示すように、本体フレーム部１０の左右側板１０ｂ，１０ｃに挟まれた背面部において、それぞれ分離可能に装着される。紙幣識別部２０には、本体フレーム部１０と合体したときフロントマスク１１の紙幣挿入口１１ａと連通する紙幣搬送通路２１が形成されている。また、この紙幣搬送通路２１に沿って、紙幣を搬送するための紙幣搬送機構２２や搬送信号等を指令する紙幣識別センサ部２３等が配置されている。
【００１４】
フロントマスク１１の紙幣挿入口１１ａから挿入された紙幣は、紙幣識別部２０の識別センサでその真贋と金種が識別され、自販機での商品取引が実行される。自販機から商品が提供された時点で、紙幣搬送通路２１内に保留されていた紙幣は、紙幣識別部２０の上方に配置された紙幣収納庫３０まで搬送される。お客が自販機の返金レバー等の操作を行い、あるいは紙幣識別部２０で偽券とされた場合には、紙幣搬送通路２１内の紙幣は紙幣挿入口１１ａに逆送される。
【００１５】
紙幣収納庫３０は、本体フレーム部１０に対してプッシャ部３１をスタッカ部３２によって挟んだ状態で保持するように構成されている。スタッカ部３２には、紙幣識別部２０で真券と判定された紙幣が収納される。プッシャ部３１は、後述するように紙幣をスタッカ部３２に押し込むための機構を備えている。また、プッシャ部３１の左右側面には、それぞれ上下一対の突起部３１ａ，３１ｂが設けられ、これら突起部３１ａ，３１ｂに対応する位置で本体フレーム部１０の左右側板１０ｂ，１０ｃに係合溝部１３ａ，１３ｂが形成されている。
【００１６】
本体フレーム部１０の左側板１０ｂ上部には鍵取付け孔１４が形成され、さらにスタッカ部３２の上面左側の対応する位置に、Ｕ字形状の突起部３２ａが形成されている。そして、本体フレーム部１０に紙幣収納庫３０が固着されると、これら鍵取付け孔１４とＵ字形状の突起部３２ａが合致した状態となって、例えば南京錠等により施錠可能となっている。
【００１７】
図３は、紙幣識別装置の背面構成を示す外観斜視図、図４は、紙幣収納庫を各構成部品に分解して示す斜視図である。
図３には、紙幣収納庫３０を本体フレーム部１０の背後から見た状態で示している。ここでは、プッシャ部３１の突起部３１ａ，３１ｂが本体フレーム部１０の係合溝部１３ａ，１３ｂと係合し、さらにプッシャ部３１がその上部に設けたロック機構３１ｃによって、本体フレーム部１０から離脱しないように構成されている。
【００１８】
紙幣収納庫３０のプッシャ部３１とスタッカ部３２は、図４に示すように、それぞれ別部品として構成されているが、スタッカ部３２の左右側面下部にそれぞれ形成された回動軸３３がプッシャ部３１の対応する位置に形成された孔３１ｄと嵌合することで、回動自在に軸支される。また、スタッカ部３２の左右側面には、それぞれ上下一対の突起部３４ａが設けられ、プッシャ部３１の対応する位置には係合溝部３５ａが形成されている。これら突起部３４ａが係合溝部３５ａに係合したとき、ラッチレバー３４ｂを操作して突起部３４ａの離脱を防止することによって、プッシャ部３１とスタッカ部３２が一体に保持される。
【００１９】
プッシャ部３１のスタッカ部３２との対向面には、プッシャ板３６が配置されている。そして、プッシャ部３１とスタッカ部３２が図３に示すような合体した状態で、下部の紙幣識別部２０から搬入された紙幣がパンタグラフ機構３７によってスタッカ部３２内に押し込まれるように構成されている。
【００２０】
図５は、紙幣収納庫の内部構成を示す横断面図、図６は、図５のＡ−Ａ線に沿って示す縦断面図である。
スタッカ部３２側では、スプリング３８によって紙幣押さえ板３９がプッシャ部３１側に押圧されている。紙幣４０がプッシャ部３１のプッシャ板３６に沿って下から紙幣収納庫３０に送り込まれると、パンタグラフ機構３７が動作してプッシャ板３６により紙幣４０をスタッカ部３２の紙幣押さえ板３９上に平行移動させる。これにより、紙幣４０は整列した状態でスタッカ部３２に収納される。
【００２１】
図７は、紙幣を回収する状態を示す斜視図であって、同図（Ａ）はスタッカ部に収納された状態で紙幣を回収する方法、同図（Ｂ）は紙幣だけをスタッカ部から直接に回収する方法を示している。
【００２２】
紙幣収納庫３０から紙幣４０を見せずに回収したい場合、同図（Ａ）に示すように、プッシャ部３１のロック機構３１ｃを解除し、本体フレーム部１０からプッシャ部３１とスタッカ部３２とを一体にしたまま取り外して、別の場所に移送してスタッカ部３２から紙幣を抜き取ることができる。
【００２３】
同じ紙幣収納庫３０から直接に紙幣だけを回収したい場合には、図７（Ｂ）に示すように、スタッカ部３２のラッチレバー３４ｂを操作して突起部３４ａ（図４）の係合を解除する。こうすれば、スタッカ部３２が回動軸３３周りで回転するようになって、紙幣収納庫３０を本体フレーム部１０から取り外さなくても、プッシャ部３１側との開口から紙幣を回収することができる。
【００２４】
以上のように、実施の形態の紙幣識別装置１は、スタッカ部３２に収納された状態で紙幣４０を回収できるだけでなく、スタッカ部３２から紙幣４０だけを直接に回収するようにしたので、現金管理上のセキュリティに配慮しつつ、迅速な紙幣回収によって回収作業の効率アップを図ることができる。したがって、自販機等からの紙幣の回収作業が容易になる。
【図面の簡単な説明】
【００２５】
【図１】実施の形態に係る紙幣識別装置の外観構成を示す斜視図である。
【図２】図１の紙幣識別装置を各構成部品に分解して示す斜視図である。
【図３】紙幣識別装置の背面構成を示す外観斜視図である。
【図４】紙幣収納庫を各構成部品に分解して示す斜視図である。
【図５】紙幣収納庫の内部構成を示す横断面図である。
【図６】図５のＡ−Ａ線に沿って示す縦断面図である。
【図７】紙幣を回収する状態を示す斜視図であって、同図（Ａ）はスタッカ部に収納された状態で紙幣を回収する方法、同図（Ｂ）は紙幣だけをスタッカ部から直接に回収する方法を示している。
【符号の説明】
【００２６】
１  紙幣識別装置
１０  本体フレーム部
１１  フロントマスク
１１ａ  紙幣挿入口
１３ａ，１３ｂ，３５ａ  係合溝部
１４  鍵取付け孔
２０  紙幣識別部
２１  紙幣搬送通路
２２  紙幣搬送機構
２３  紙幣識別センサ部
３０  紙幣収納庫
３１  プッシャ部
３１ａ，３１ｂ，３２ａ，３４ａ  突起部
３１ｃ  ロック機構
３２  スタッカ部
３３  回動軸
３４ｂ  ラッチレバー
３６  プッシャ板
３７  パンタグラフ機構
３８  スプリング
３９  紙幣押さえ板
４０  紙幣
【図１】
2010009331.tif 000003
【図２】
2010009331.tif 000004
【図３】
2010009331.tif 000005
【図４】
2010009331.tif 000006
【図５】
2010009331.tif 000007
【図６】
2010009331.tif 000008
【図７】
2010009331.tif 000009